【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
取替可能なダイセットを用いてシートに穿孔処理を施すシート穿孔装置を接続する画像形成装置であって、
情報を表示する表示手段と、
前記シート穿孔装置に装着されたダイセットから少なくとも当該ダイセットを特定するための識別情報を含むダイセット情報を取得する取得手段と、
前記ダイセットを使用して実行された穿孔処理の回数を前記識別情報に関連付けて記憶する記憶手段と、
前記記憶手段に記憶された穿孔処理の回数が所定数を超えると、前記ダイセットに注油するようユーザに促すメッセージを前記表示手段に表示させ、更に、前記ダイセットに対する注油が完了したことを示す注油完了情報をユーザに入力させるための入力画面を前記表示手段に表示させる制御手段と、
を有することを特徴とする画像形成装置。
【請求項２】
前記制御手段は、前記注油完了情報が入力されると、前記記憶手段に記憶された穿孔処理の回数を初期化することを特徴とする請求項１に記載の画像形成装置。
【請求項３】
前記シート穿孔装置に前記ダイセットが装着されたことを検知する検知手段を更に有し、
前記制御手段は、前記検知手段により前記ダイセットが装着されていることが検知されていない状態で前記注油完了情報が入力された場合、前記穿孔処理の回数の初期化を行わないことを特徴とする請求項２に記載の画像形成装置。
【請求項４】
前記制御手段は、前記メッセージを表示させた後に、ユーザの所定の操作に応じて前記入力画面を前記表示手段に表示させることを特徴とする請求項１乃至３の何れか１項に記載の画像形成装置。
【請求項５】
前記取得手段は、前記ダイセットが有するメモリに格納された前記ダイセット情報を取得することを特徴とする請求項１乃至４の何れか１項に記載の画像形成装置。
【請求項６】
前記制御手段は、前記メッセージを消去するための消去指示をユーザに入力させるためのボタンを前記表示手段に表示させ、前記ボタンにより前記消去指示が入力されると、前記表示手段に表示された前記メッセージを消去することを特徴とする請求項１に記載の画像形成装置。
【請求項７】
前記シート穿孔装置に前記ダイセットが装着されたことを検知する検知手段を更に有し、
前記制御手段は、前記検知手段が前記シート穿孔装置に前記ダイセットが装着されたことを検知していない状態で前記消去指示が入力された場合、前記表示手段に表示された前記メッセージを消去しないことを特徴とする請求項５に記載の画像形成装置。
【請求項８】
前記制御手段は、前記検知手段が前記シート穿孔装置に前記ダイセットが装着されたことを検知していない状態で前記消去指示が入力された場合、前記ダイセットの装着を確認することをユーザに促す画面を前記表示手段に表示させることを特徴とする請求項７に記載の画像形成装置。
【請求項９】
前記識別情報に対応させて前記所定数を記憶する第２の記憶手段を、更に有することを特徴とする請求項１乃至７の何れか１項に記載の画像形成装置。
【請求項１０】
取替可能なダイセットを用いてシートに穿孔処理を施す穿孔処理ユニットを含む画像形成装置であって、
情報を表示する表示手段と、
前記穿孔処理ユニットに装着されたダイセットから少なくとも当該ダイセットを特定するための識別情報を含むダイセット情報を取得する取得手段と、
前記ダイセットを使用して実行された穿孔処理の回数を前記識別情報に関連付けて記憶する記憶手段と、
前記記憶手段に記憶された穿孔処理の回数が所定値を超えると、前記ダイセットに注油するようユーザに促すメッセージを前記表示手段に表示させ、更に、前記ダイセットに対する注油が完了したことを示す注油完了情報をユーザに入力させるための入力画面を前記表示手段に表示させる制御手段と、
を有することを特徴とする画像形成装置。
【請求項１１】
前記制御手段は、前記注油完了情報が入力されると、前記記憶手段に記憶された穿孔処理の回数を初期化することを特徴とする請求項１０に記載の画像形成装置。
【請求項１２】
前記シート穿孔装置に前記ダイセットが装着されたことを検知する検知手段を更に有し、
前記制御手段は、前記検知手段により前記ダイセットが装着されていることが検知されていない状態で前記注油完了情報が入力された場合、前記穿孔処理の回数の初期化を行わないことを特徴とする請求項１１に記載の画像形成装置。
【請求項１３】
前記制御手段は、前記メッセージを表示させた後に、ユーザの所定の操作に応じて前記入力画面を前記表示手段に表示させることを特徴とする請求項１０乃至１２の何れか１項に記載の画像形成装置。
【請求項１４】
取替可能なダイセットを用いてシートに穿孔処理を施すシート穿孔装置を管理する管理方法であって、
前記シート穿孔装置に装着されたダイセットから少なくとも当該ダイセットを特定するための識別情報を含むダイセット情報を取得する取得工程と、
前記ダイセットを使用して実行された穿孔処理の回数を前記識別情報に関連付けて記憶する記憶工程と、
記憶された穿孔処理の回数が所定値を超えると、前記ダイセットに注油するようユーザに促すメッセージを表示する第１表示工程と、
前記ダイセットに対する注油が完了したことを示す注油完了情報をユーザに入力させるための入力画面を表示する第２表示工程と、
を有することを特徴とする穿孔装置の管理方法。
【請求項１５】
前記注油完了情報が入力されると、前記記憶された穿孔処理の回数を初期化する初期化工程を、更に有することを特徴とする請求項１４に記載の穿孔装置の管理方法。
【手続補正２】
【補正対象書類名】明細書
【補正対象項目名】発明の名称
【補正方法】変更
【補正の内容】
【発明の名称】画像形成装置と穿孔装置の管理方法
【手続補正３】
【補正対象書類名】明細書
【補正対象項目名】０００１
【補正方法】変更
【補正の内容】
【０００１】
本発明は、画像形成装置と穿孔装置の管理方法に関する。
【手続補正４】
【補正対象書類名】明細書
【補正対象項目名】０００７
【補正方法】変更
【補正の内容】
【０００７】
上記目的を達成するために本発明の一態様に係る画像形成装置は以下のような構成を備える。即ち、
取替可能なダイセットを用いてシートに穿孔処理を施すシート穿孔装置を接続する画像形成装置であって、
情報を表示する表示手段と、
前記シート穿孔装置に装着されたダイセットから少なくとも当該ダイセットを特定するための識別情報を含むダイセット情報を取得する取得手段と、
前記ダイセットを使用して実行された穿孔処理の回数を前記識別情報に関連付けて記憶する記憶手段と、
前記記憶手段に記憶された穿孔処理の回数が所定数を超えると、前記ダイセットに注油するようユーザに促すメッセージを前記表示手段に表示させ、更に、前記ダイセットに対する注油が完了したことを示す注油完了情報をユーザに入力させるための入力画面を前記表示手段に表示させる制御手段と、を有することを特徴とする。
【手続補正５】
【補正対象書類名】明細書
【補正対象項目名】００５４
【補正方法】変更
【補正の内容】
【００５４】
注油警告表示判定部７０７は、ダイセット属性７０５から取得したシリアル番号に該当する穿孔処理の回数と注油カウンタ閾値テーブル７０６から取得したダイセット番号に該当する穿孔処理の回数の閾値とを比較し、警告メッセージを表示するか否かを判定する。そして、注油警告表示判定部７０７は、表示部７０８によって操作部１７０にダイセット１４０に潤滑油を注ぐ作業をユーザに促すための警告メッセージを表示する。
【手続補正６】
【補正対象書類名】明細書
【補正対象項目名】００６０
【補正方法】変更
【補正の内容】
【００６０】
一方、Ｓ８１０でＣＰＵ２０１は、その印刷ジョブが穿孔処理を指定していると判定するとＳ８１２に処理を進める。Ｓ８１２でＣＰＵ２０１は、ダイセット１４０を使用してシート穿孔装置１３０で穿孔処理を実行してＳ８１３に処理を進める。このとき穿孔処理カウント部７０３は、Ｓ８１２における穿孔処理の回数を計数している。Ｓ８１３でＣＰＵ２０１は、ダイセット属性７０５から取得した、ダイセット１４０のシリアル番号に該当する穿孔処理の回数と、穿孔処理カウント部７０３でカウントした穿孔処理の回数とを加算する。そしてＣＰＵ２０１は、ダイセット属性管理部７０４により、その加算した穿孔処理の回数をダイセット属性７０５としてＳＲＡＭに記憶してＳ８１４に処理を進める。Ｓ８１４でＣＰＵ２０１はＳ８０７と同様に、注油警告表示判定部７０７により、ダイセット１４０のダイセット番号に該当する穿孔処理の回数の閾値を、ＳＲＡＭ２０５の注油カウンタ閾値テーブル７０６から取得してＳ８１５に処理を進める。Ｓ８１５でＣＰＵ２０１はＳ８０８と同様に、そのダイセット１４０の穿孔処理の回数が、注油カウンタ閾値テーブル７０６から取得した穿孔処理の回数の閾値を超えているか否かを判定する。ここでＣＰＵ２０１が閾値を超えていると判定した場合はＳ８１６に処理を進め、例えば図４（Ｂ）に示すように、ステータス表示エリア４１０に警告メッセージ４１１と復帰手順アイコン４１２を表示して、この処理を終了する。一方、Ｓ８１５でＣＰＵ２０１が閾値を超えていないと判定した場合は、そのまま処理を終了する。